(57)【要約】【課題】隙間部分を充填剤で確実に埋めて、自爪の湾曲状態に対応でき、密着度が高く、安定感のある装着が可能で、不意の外力等によって剥離し難く、優れた装着感が得られるネイルチップを、手間がかからず、簡単に製造でき、廉価で、経済的で、丈夫で、繰り返しの使用に適したネイルチップの製造方法を提供する。【解決手段】自爪雌型３を形成する自爪雌型作成工程Ａと、爪部モデル５を形成する爪部モデル作成工程Ｂと、選択したチップベース６を爪部モデル５に合わせて輪郭形状を整形加工するチップベース整形工程Ｃと、隙間部分のみに充填剤８が残るようチップベース６を圧迫する隙間充填工程Ｄと、充填剤８を硬化させ、食み出した充填剤８を取り除き、チップベース６の表面に適宜加飾手段を施す整形・加飾工程Ｅとによってネイルチップを製造する。【選択図】図２
2008220837.tif 000002
【特許請求の範囲】
【請求項１】
適宜雌型用材料で所望の指先部分を象り、自爪及びその周囲に合致する凹部を形成すると共に、この雌型用材料を硬化せしめて自爪雌型を形成する自爪雌型作成工程と、自爪雌型の凹部及びその周囲を適宜模型材料で象ると共に、模型材料を硬化せしめ、この硬化した模型材料を自爪雌型から分離させて爪部モデルを形成する爪部モデル作成工程と、予め複数種類揃えてある複数のチップベースから爪部モデルに合うものを選択すると共に、選択されたチップベースを爪部モデルに合わせてその輪郭形状を整形加工するチップベース整形工程と、この整形済みのチップベースの裏面基端がわ部分に適宜充填剤を盛り、このチップベースを爪部モデルの所定位置に重ねると共に、爪部モデルの爪部表面とチップベース裏面との間の隙間部分にのみ充填剤が残るようにチップベースを爪部モデルに密接せしめる隙間充填工程と、充填剤を硬化させると共に、爪部モデルの爪部表面とチップベース裏面との間から食み出した充填剤を取り除き、チップベースの表面に適宜加飾手段を施してなる整形・加飾工程とによってネイルチップを製造することを特徴としたネイルチップの製造方法。
【請求項２】
適宜雌型用材料で所望の指先部分を象り、自爪及びその周囲に合致する凹部を形成すると共に、この雌型用材料を硬化せしめて自爪雌型を形成する自爪雌型作成工程と、自爪雌型の凹部及びその周囲を適宜模型材料で象ると共に、模型材料を硬化せしめ、この硬化した模型材料を自爪雌型から分離させて爪部モデルを形成する爪部モデル作成工程と、予め複数種類揃えてある複数のチップベースから爪部モデルに合うものを選択すると共に、選択されたチップベースを爪部モデルに合わせてその輪郭形状を整形加工し、更に、チップベースの表面に略Ｖ溝状の切欠溝を左右方向に沿って形成するチップベース整形工程と、この整形済みのチップベースの裏面基端がわ部分及び切欠溝部分に適宜充填剤を盛り、このチップベースを爪部モデルの所定位置に重ねると共に、爪部モデルの爪部表面とチップベース裏面との間の隙間部分に充填剤が残るようにチップベースを爪部モデルに密接せしめる隙間充填工程と、充填剤を硬化させると共に、爪部モデルの爪部表面とチップベース裏面との間から食み出した充填剤を取り除くと共に、切欠溝の充填剤をチップベース表面に合わせて整形し、その後チップベースの表面に適宜加飾手段を施してなる整形・加飾工程とによってネイルチップを製造することを特徴としたネイルチップの製造方法。
【請求項３】
硬化した充填剤と共にチップベースを爪部モデルから離型する際に、模型材料に予め混入せしめておいた離型剤を利用して離型するか、或いは、爪部モデル表面に予め塗布しておいた離型剤を利用して離型することを特徴とした請求項１または請求項２記載のネイルチップの製造方法。
【発明の詳細な説明】
【技術分野】
【０００１】
本考案は、例えば、市販されている合成樹脂製のネイルチップをチップベースとして利用して作成できるようにしたネイルチップの製造方法に係り、特に、自爪夫々の表面に合致せしめて着脱自在に密着せしめられる比較的丈夫なネイルチップを簡単に且つ廉価に製造できるように工夫したネイルチップの製造方法に関するものである。
【背景技術】
【０００２】
従来、この種のネイルチップとしては、種々のものが提供されている。例えば、適宜寸法、形状に予め形成されている複数種類の適宜合成樹脂製（例えば、ＡＢＳ樹脂製、ナイロン製等）のネイルチップ（チップベース）が市販されている。
そして、これらの中から自爪夫々に合わせ易そうなネイルチップを適宜選択すると共に、自爪に合わせてその輪郭部分をヤスリで削る等して整形し、これを両面着テープや適宜接着剤等を介して自爪表面に接着するようにして使用している。尚、ネイルチップ表面は、適宜加飾が施されるようになる（例えば、ネイルチップ表面に、色彩を施したり、デザインされた模様を描いたり、適宜立体的な飾りを固定したりする。）。
また、ネイルチップの作製手段として、例えば、特許文献１に示すようなつけ爪チップの作成方法や特許文献２に示すような人工爪の作製方法等が開示されており、これらは、爪の形状に合致するネイルチップそのものを作製できるようにしたものである。
【０００３】
【特許文献１】特許第３０８１５９８号公報
【特許文献２】特公平７−７３５３２号公報
【発明の開示】
【発明が解決しようとする課題】
【０００４】
ところが、前者のような適宜寸法、形状に予め形成されているネイルチップにあっては、ネイルチップの輪郭形状等を自爪に合わせて整形することは可能であるが、個人差（及び指夫々の差）の大きい自爪の湾曲状態（左右方向での湾曲状態や指の長手方向での湾曲状態）に対応させることができず、自爪表面とネイルチップ裏面との間で種々の隙間が生じてしまう問題点があった。すなわち、前記隙間によって密着度が低下し、両面着テープや接着剤で接着しても、不意の外力等によって剥離し易い難点があった。
特に、指の長手方向での自爪の湾曲状態が強い場合（湾曲度合いが強い場合）、隙間が大きくなり過ぎて接着が困難となる場合があった。
また、ネイルチップ自身が極めて薄く形成されていることから、隙間部分で無理やり変形させた状態で自爪に接着するようになり、ネイルチップ自身にヒビが入ったり、割れたりし易くなる難点や、繰り返しの使用（着脱の繰り返し）に適さない難点等があった。
更に、後者のようなネイルチップにあっては、指から自爪部分の型を作製し、これからネイルチップそのものを作製するため、自爪にフィットしたものを作製することはできるようになる。しかしながら、その作製に手間がかかると共に、ネイルチップ自体が高価となる難点があった。
そこで、本発明は、前述の如き難点等を解消できるようにすると共に、製造が簡単で、手間がかからず、丈夫なネイルチップとなり、安定感のある装着が可能で、繰り返しの着脱が行え、市販のチップベースを利用でき、廉価で、経済的なネイルチップの製造方法を提供すべく創出されたものである。
【課題を解決するための手段】
【０００５】
しかして、前述の如き課題を達成すべく、請求項１記載のネイルチップの製造方法にあっては、適宜雌型用材料１で所望の指先部分を象り、自爪２及びその周囲に合致する凹部３ａを形成すると共に、この雌型用材料１を硬化せしめて自爪雌型３を形成する自爪雌型作成工程Ａと、自爪雌型３の凹部３ａ及びその周囲を適宜模型材料４で象ると共に、模型材料４を硬化せしめ、この硬化した模型材料４を自爪雌型３から分離させて爪部モデル５を形成する爪部モデル作成工程Ｂと、予め複数種類揃えてある複数のチップベース６から爪部モデル５に合うものを選択すると共に、選択されたチップベース６を爪部モデル５に合わせてその輪郭形状を整形加工するチップベース整形工程Ｃと、この整形済みのチップベース６の裏面基端がわ部分に適宜充填剤８を盛り、このチップベース６を爪部モデル５の所定位置に重ねると共に、爪部モデル５の爪部表面とチップベース６裏面との間の隙間部分にのみ充填剤８が残るようにチップベース６を爪部モデル５に密接せしめる隙間充填工程Ｄと、充填剤８を硬化させると共に、爪部モデル５の爪部表面とチップベース６裏面との間から食み出した充填剤８を取り除き、チップベース６の表面に適宜加飾手段を施してなる整形・加飾工程Ｅとによってネイルチップを製造する手段を採用した。
【０００６】
また、請求項２記載のネイルチップの製造方法にあっては、適宜雌型用材料１で所望の指先部分を象り、自爪２及びその周囲に合致する凹部３ａを形成すると共に、この雌型用材料１を硬化せしめて自爪雌型３を形成する自爪雌型作成工程Ａと、自爪雌型３の凹部３ａ及びその周囲を適宜模型材料４で象ると共に、模型材料４を硬化せしめ、この硬化した模型材料４を自爪雌型３から分離させて爪部モデル５を形成する爪部モデル作成工程Ｂと、予め複数種類揃えてある複数のチップベース６から爪部モデル５に合うものを選択すると共に、選択されたチップベース６を爪部モデル５に合わせてその輪郭形状を整形加工し、更に、チップベース６の表面に略Ｖ溝状の切欠溝１１を左右方向に沿って形成するチップベース整形工程Ｃと、この整形済みのチップベース６の裏面基端がわ部分及び切欠溝１１部分に適宜充填剤８を盛り、このチップベース６を爪部モデル５の所定位置に重ねると共に、爪部モデル５の爪部表面とチップベース６裏面との間の隙間部分に充填剤８が残るようにチップベース６を爪部モデル５に密接せしめる隙間充填工程Ｄと、充填剤８を硬化させると共に、爪部モデル５の爪部表面とチップベース６裏面との間から食み出した充填剤８を取り除くと共に、切欠溝１１の充填剤８をチップベース６表面に合わせて整形し、その後チップベース６の表面に適宜加飾手段を施してなる整形・加飾工程Ｅとによってネイルチップを製造する手段を採用した。
【０００７】
更に、請求項３記載のネイルチップの製造方法にあっては、硬化した充填剤８と共にチップベース６を爪部モデル５から離型する際に、模型材料４に予め混入せしめておいた離型剤を利用して離型するか、或いは、爪部モデル５表面に予め塗布しておいた離型剤を利用して離型する手段を採用した。
【発明の効果】
【０００８】
従って、請求項１のネイルチップの製造方法によれば、自爪２表面とチップベース６裏面との間で生じる隙間部分を充填剤８で確実に埋めることができ、個人差（及び指夫々の差）の大きい自爪２の湾曲状態（左右方向での湾曲状態や指の長手方向での湾曲状態）に対応させることができるようになり、自爪２とチップベース６（充填剤８を含む）との密着度が高くなって、両面着テープ１０や接着剤で接着したときに、不意の外力等によって剥離し難い、優れた装着感が得られるネイルチップを、手間がかからず、簡単に製造できるようになる。
しかも、市販のチップベース６を利用でき、廉価で、経済的なネイルチップの製造方法となる。
加えて、自爪２とチップベース６（充填剤８を含む）との密着度が高くなるため、極めて薄く形成されているチップベース６を、無理やり変形させた状態で自爪２に接着するようなことがなくなり、丈夫なネイルチップとなり、チップベース６（ネイルチップ）にヒビが入ったり、割れたりし難いものとなり、安定感のある装着が可能で、繰り返しの着脱が行え、繰り返しの使用に適したものを製造できるようになる。
【０００９】
また、請求項２のネイルチップの製造方法によれば、自爪２表面とチップベース６裏面との間で生じる隙間部分を充填剤８で確実に埋めることができ、個人差（及び指夫々の差）の大きい自爪２の湾曲状態（左右方向での湾曲状態や指の長手方向での湾曲状態）に対応させることができるようになり、自爪２とチップベース６（充填剤８を含む）との密着度が高くなって、両面着テープ１０や接着剤で接着したときに、不意の外力等によって剥離し難い、優れた装着感が得られるネイルチップを、手間がかからず、簡単に製造できるようになる。
しかも、市販のチップベース６を利用でき、廉価で、経済的なネイルチップの製造方法となる。
加えて、自爪２とチップベース６（充填剤８を含む）との密着度が高くなるため、極めて薄く形成されているチップベース６を、無理やり変形させた状態で自爪２に接着するようなことがなくなり、丈夫なネイルチップとなり、チップベース６（ネイルチップ）にヒビが入ったり、割れたりし難いものとなり、安定感のある装着が可能で、繰り返しの着脱が行え、繰り返しの使用に適したものを製造できるようになる。
【００１０】
特に、チップベース整形工程Ｃで、チップベース６の表面に略Ｖ溝状の切欠溝１１を左右方向に沿って形成し、切欠溝１１部分に適宜充填剤８を盛り、この充填剤８を硬化させると共に、切欠溝１１の充填剤８をチップベース６表面に合わせて整形するので、自爪２が指の長手方向に於いてその湾曲状態が強い場合（湾曲度合いが強い場合）でも、これに対応させてチップベース６を無理なく沿わせることができるようになり、自爪２表面とチップベース６裏面の隙間が大きくなり過ぎることがなく、接着が困難となることのないネイルチップを簡単に製造できるようになる。しかも、切欠溝１１部分は充填剤８で綺麗に且つ堅牢に埋められるようになり、チップベース６の切欠溝１１部分を充填剤８で補強できると共に、チップベース６表面を綺麗に加飾できるようになる。
【００１１】
更に、請求項３のネイルチップの製造方法によれば、硬化した充填剤８と共にチップベース６を爪部モデル５から離型する際に、より簡単に、スムーズに、且つ綺麗に離型できるようになる。
特に、模型材料４に予め離型剤を混入せしめておくことで、爪部モデル５から硬化した充填剤８と共にチップベース６を効率良く離型できるようになる。
【発明を実施するための最良の形態】
【００１２】
以下、本発明を図示例に基づいて説明すると、次の通りである。
本発明のネイルチップの製造方法は、適宜雌型用材料１で所望の指先部分を象り、自爪２及びその周囲に合致する凹部３ａを形成すると共に、この雌型用材料１を硬化せしめて自爪雌型３を形成する自爪雌型作成工程Ａと、自爪雌型３の凹部３ａ及びその周囲を適宜模型材料４で象ると共に、模型材料４を硬化せしめ、この硬化した模型材料４を自爪雌型３から分離させて爪部モデル５を形成する爪部モデル作成工程Ｂと、予め複数種類揃えてある複数のチップベース６から爪部モデル５に合うものを選択すると共に、選択されたチップベース６を爪部モデル５に合わせてその輪郭形状を整形加工するチップベース整形工程Ｃと、この整形済みのチップベース６の裏面基端がわ部分に適宜充填剤８を盛り、このチップベース６を爪部モデル５の所定位置に重ねると共に、爪部モデル５の爪部表面とチップベース６裏面との間の隙間部分にのみ充填剤８が残るようにチップベース６を爪部モデル５に密接せしめる隙間充填工程Ｄと、充填剤８を硬化させると共に、爪部モデル５の爪部表面とチップベース６裏面との間から食み出した充填剤８を取り除き、チップベース６の表面に適宜加飾手段を施してなる整形・加飾工程Ｅとを備えたものである。
しかも、硬化した充填剤８と共にチップベース６を爪部モデル５から離型する際に、模型材料４に予め混入せしめておいた離型剤を利用して離型するか、或いは、爪部モデル５表面に予め塗布しておいた離型剤を利用して離型するようにしている。
【実施例】
【００１３】
前記自爪雌型作成工程Ａは、例えば、適宜雌型用材料１〔図２の（ア）〕に所望の指の自爪２部分を押付けて〔図２の（イ）〕（或いは、所望の指の自爪２部分に型取り材１を押付けても良い）、自爪２及びその周囲に合致する凹部３ａを雌型用材料１に形成し、この雌型用材料１を硬化させることで自爪雌型３を形成する〔図２の（ウ）〕工程である。
そして、前記雌型用材料１は、例えば、シリコーンゴム系の基剤と硬化剤とを混合して構成したような印象材や、石膏を粘土状にしたものや、その他の適宜材料を利用できる。すなわち、自爪２部分の形状を凹部３ａとして正確に、且つ簡単に写しとることができて、しかも、取扱い易く、比較的低廉で、素早く硬化して必要な強度や硬度を維持できるようなものであれば良い。
【００１４】
前記爪部モデル作成工程Ｂは、例えば、自爪雌型３の凹部３ａ及びその周囲に適宜模型材料４を押付け〔図２の（エ）〕、これを硬化せしめると共に自爪雌型３から分離させて、所望の指の自爪２及びその周囲の複製となる爪部モデル５を形成する〔図２の（オ）〕工程である。尚、模型材料４が流動性を有するものである場合は、自爪雌型３の凹部３ａ及びその周囲に適宜模型材料４を流し込むようにしてから、硬化せしめるようにしても良い。
また、前記模型材料４は、例えば、シリコーンゴム系の基剤と硬化剤とを混合して構成したような印象材や、粘土状に構成されているものや、適宜合成樹脂系のものや、その他の適宜材料のものを利用できる。すなわち、自爪雌型３の凹部３ａの形状を正確に、且つ簡単に写しとることができて、しかも、取扱い易く、比較的低廉で、素早く硬化して必要な強度や硬度を維持できるようなものであれば良い。
加えて、模型材料４には、適宜離型剤を予め混入せしめておき、硬化した充填剤８と共にチップベース６が爪部モデル５表面からスムーズに且つ綺麗に離型できるようにすることもできる。
【００１５】
前記チップベース整形工程Ｃは、例えば、予め複数種類揃えてある複数のチップベース６から爪部モデル５に合ったものを選択する〔図２の（カ）〕。そして、選択されたチップベース６は、ヤスリ等を利用してその輪郭形状を爪部モデル５に合わせて整形加工される〔図２の（キ）〕。
前記チップベース６は、例えば、市販されている適宜合成樹脂製（例えば、ＡＢＳ樹脂製、ナイロン製、その他）のネイルチップが利用され、これによりコストの低減が図れるようにしてある。
【００１６】
前記隙間充填工程Ｄは、例えば、整形済みのチップベース６の裏面基端がわ部分に適宜充填剤８を盛り〔図２の（コ）〕（或いは、ある程度厚く塗り）、このチップベース６を爪部モデル５の所定位置に重ねると共に、爪部モデル５の爪部表面とチップベース６裏面との間の隙間部分のみに充填剤８が残るようにチップベース６を爪部モデル５に密接させる〔図２の（サ）〕。
前記充填剤８は、例えば、ジェル状のアクリル樹脂材料等が利用され、チップベース６裏面と爪部モデル５の爪部表面との間の隙間部分に残り易く、しかも、取扱い易く、比較的低廉で、素早く硬化して必要な強度や硬度を維持できるようなものであれば良い。
また、充填剤８は、例えば図示例のように、チップベース６の基端がわ裏面にパウダー状の基材８ａを載せ〔図２の（ク）〕、この基材８ａ部分に液状の補助材８ｂを加えて、チップベース６裏面上で混合せしめて〔図２の（ケ）〕、ジェル状の充填剤８を作成しても良い〔図２の（コ）〕し、或いは、予めジェル状の充填剤８を作成しておき、これをチップベース６裏面に盛るようにしても良い。
【００１７】
前記整形・加飾工程Ｅは、例えば、充填剤８を硬化させると共に、爪部モデル５の爪部表面とチップベース６裏面との間から食み出した充填剤８を取り除く。そして、チップベース６の表面に適宜加飾手段を施して〔図２の（シ）〕、本発明のネイルチップを製造する。尚、加飾手段は、チップベース６に充填剤８が固着された状態のまま爪部モデル５から離型した後に行っても良いし、或いは、爪部モデル５から離型する前に行っておいても良い。
また、前記加飾手段は、例えば、チップベース６の表面に適宜色彩を施すようにしたものでも良いし、適宜デザインした模様等をチップベース６の表面に描出したものでも良いし、或いは、チップベース６の表面に立体的な飾りを固着するようにしたものでも良し、これらを組み合わせたものでも良い。尚、加飾手段は、適宜自由に設定、変更できるものである。
【００１８】
図中１０は、前述の如く製造されたネイルチップを自爪２に貼り付ける時に使用される両面着テープで、この両面着テープ１０は、その一方の表面がチップベース６裏面及び硬化した充填剤８部分に跨るように接着され、その他方の表面には、適宜剥離紙が接着されるようになり、この剥離紙を剥離してから、自爪２表面に着脱自在に接着されるようになる。尚、この両面着テープ１０は、できる限り薄く形成される粘着層で構成されたものであっても良く、その具体的構成、材質等は適宜自由に設定、変更できるものである。
【００１９】
また、図３は、指の長手方向に於いて、自爪２の湾曲状態が強い場合（湾曲度合いが強い変形状態にある場合）のネイルチップの製造方法を示すものである。
具体的には、先ず、チップベース整形工程Ｃに於いて、選択されたチップベース６を爪部モデル５に合わせて輪郭形状を整形加工すると共に、チップベース６の基端寄り表面に略Ｖ溝状の切欠溝１１を左右方向に沿って形成し、更に、隙間充填工程Ｄに於いて、チップベース６の裏面基端がわ部分及び切欠溝１１部分に適宜充填剤８を盛り（或いは塗り）、このチップベース６を爪部モデル５の所定位置に重ねると共に、爪部モデル５の爪部表面とチップベース６裏面との間の隙間部分のみに充填剤８が残るようにチップベース６を圧迫する〔図２の（ス）〕。
そして、整形・加飾工程Ｅに於いて、充填剤８を硬化させると共に、爪部モデル５の爪部表面とチップベース６裏面との間から食み出した充填剤８を取り除くと共に、切欠溝１１の充填剤８をチップベース６表面に合わせて整形し、その後チップベース６の表面に適宜加飾手段を施してネイルチップを製造する〔図２の（セ）〕。
すなわち、切欠溝１１を設けることにより、湾曲状態が強い自爪２にチップベース６自体を無理なく沿わせられるようにし、しかも、充填剤８で切欠溝１１部分を補強すると共に、綺麗に埋められるように工夫したものである。
尚、前記切欠溝１１は、複数設けるようにしても良いし、チップベース６の裏面に設けるようにしても良い。また、切欠溝１１は平面から見て破線状に設けたものであっても良い。
【００２０】
ところで、自爪雌型作成工程Ａの具体的構成、爪部モデル作成工程Ｂの具体的構成、チップベース整形工程Ｃの具体的構成、隙間充填工程Ｄの具体的構成、整形・加飾工程Ｅの具体的構成、型取り材１の具体的構成、形状、寸法、材質、自爪雌型３の具体的構成、形状、寸法、材質、凹部３ａの具体的寸法、配設位置、模型材料４の具体的材質、爪部モデル５の具体的構成、形状、チップベース６の具体的構成、形状、寸法、材質、充填剤８の具体的構成、材質、基材８ａの具体的構成、材質、補助材８ｂの具体的構成、材質、加飾部９の具体的構成、両面着テープ１０の具体的構成、材質、切欠溝１１の具体的構成、形状、寸法、数、配設位置等は、図示例のもの等に限定されることなく適宜自由に設定、変更できるものである。
【図面の簡単な説明】
【００２１】
【図１】本発明のネイルチップの製造方法を例示するブロック図である。
【図２】本発明のネイルチップの製造方法を例示する概略図である。
【図３】本発明の他のネイルチップの製造方法を例示する概略図である。
【符号の説明】
【００２２】
Ａ      型取り工程
Ｂ      爪部モデル作成工程
Ｃ      チップベース整形工程
Ｄ      隙間充填工程
Ｅ      整形・加飾工程
１      雌型用材料
２      自爪
３      自爪雌型
４      模型材料
５      爪部モデル
６      チップベース
８      充填剤
８ａ    基材
８ｂ    補助材
９      加飾部
１０    両面着テープ
１１    切欠溝
【図１】
2008220837.tif 000003
【図２】
2008220837.tif 000004
【図３】
2008220837.tif 000005